(57)【要約】      （修正有）【課題】衣料品や寝具に中綿を充填する充填作業の能率向上に優れ、かつ、生分解性の素材とすることにより環境負荷を低減することができる中綿充填パックおよび、中綿充填パックを装填して成る衣料品または寝具を提供する。【解決手段】袋状に形成された不織布２に中綿を充填した中綿充填パック１であって、前記不織布と前記中綿は生分解性素材から成る充填パックを使用する。不織布はコットン、レーヨン等のセルロース系再生繊維やポリ乳酸繊維から成る不織布が好ましく、中綿はカポック綿が好ましい。【選択図】図１
0003234287.tif 000002
【実用新案登録請求の範囲】
【請求項１】
袋状に形成された不織布に中綿を充填した中綿充填パックであって、前記不織布と前記中綿は生分解性素材から成ることを特徴とする中綿充填パック。
【請求項２】
前記中綿がカポック綿から成ることを特徴とする請求項１に記載の中綿充填パック。
【請求項３】
請求項１または請求項２に記載の中綿充填パックを装填して成る衣料品または寝具。
【考案の詳細な説明】
【技術分野】
【０００１】
本発明は、例えばジャケット等の衣料品、掛布団等の寝具に用いられる、袋状に形成された不織布に中綿を充填した中綿充填パックに関するものであり、衣料品や寝具に中綿を充填する充填作業の能率向上に優れ、かつ、中綿充填パックを構成する素材を生分解性の素材とすることにより環境負荷を低減することができる中綿充填パックおよび、中綿充填パックを装填して成る衣料品または寝具に関する。
【背景技術】
【０００２】
従来から、保温性を必要とする防寒ジャケットや冬季スポーツ用ウェアなどの衣料品や、掛布団等の寝具として、保温性を付与する中綿を表地と裏地との間に挿入したものが用いられている。
【０００３】
このような衣料品や寝具は、開繊させた短繊維を加圧気体とともに袋状側地内に圧入するように吹き込むことによって製造される。
【０００４】
特許文献１には、袋状側地内に中綿を有する衣服であって、開繊させた短繊維を加圧気体とともに袋状側地内に圧入するように吹き込んで得られる綿を、短繊維同士が実質的に独立を保ちランダム状に充填するように詰めたこと特徴とする中綿衣服が記載されている。
【０００５】
このような充填方法はポリエステル繊維等の合成繊維から成る中綿を用いる場合に特に有効であるが、カポック綿のような繊維長が短く比重が小さい中綿を用いる場合、風綿が発生しやすく、充填作業の能率性が低下するという問題がある。
【０００６】
また、近年では環境に配慮した衣料品が求められており、生分解性を持つ素材の使用が検討されている。
【先行技術文献】
【特許文献】
【０００７】
【特許文献１】特開２００６−３０７３６４号公報
【考案の概要】
【考案が解決しようとする課題】
【０００８】
衣料品や寝具に中綿を充填する充填作業の能率向上に優れ、かつ、生分解性の素材とすることにより環境負荷を低減することができる中綿充填パックおよび、中綿充填パックを装填して成る衣料品または寝具を提供することを課題とする。
【課題を解決するための手段】
【０００９】
本考案は衣料品や寝具に用いられる、袋状に形成された不織布に中綿を充填した中綿充填パックに関するものであり、以下の技術を基礎とするものである。
【００１０】
（１）袋状に形成された不織布に中綿を充填した中綿充填パックであって、前記不織布と前記中綿は生分解性素材から成ることを特徴とする中綿充填パック。
【００１１】
（２）前記中綿がカポック綿から成る（１）の中綿充填パック。
【００１２】
（３）（１）または（２）の中綿充填パックを装填して成る衣料品または寝具。
【考案の効果】
【００１３】
本考案によれば、衣料品や寝具に中綿を充填する充填作業の能率向上に優れ、かつ、生分解性の素材とすることにより環境負荷を低減することができる中綿充填パックおよび、中綿充填パックを装填して成る衣料品または寝具を提供できる。
【図面の簡単な説明】
【００１４】
【図１】本考案の中綿充填パックの斜視図である。
【図２】本考案の中綿充填パックの断面図である。
【図３】本考案の中綿充填パックに使用される袋状に形成された不織布の斜視図である。
【考案を実施するための形態】
【００１５】
本考案の中綿充填パックは、袋状に形成された不織布に中綿を充填した中綿充填パックであって、前記不織布と前記中綿は生分解性素材から成ることを特徴とする。
【００１６】
不織布に用いられる生分解性素材としてはコットン、レーヨン等のセルロース系再生繊維が挙げられ、これらをニードルパンチ不織布またはスパンレース不織布に加工して使用する。
【００１７】
ニードルパンチ不織布とスパンレース不織布はいずれも接着剤を使用しないで製造される不織布であり、これらの不織布を使用することで環境負荷の低減効果がより向上する。
【００１８】
また、生分解性素材としてポリ乳酸繊維を使用することもできる。ポリ乳酸繊維を使用する場合は、ニードルパンチ不織布、スパンレース不織布、スパンボンド不織布に加工する。
【００１９】
不織布は１枚の不織布を折りたたんで生分解性の糸で端部を縫製するか、２枚の不織布を重ねて生分解性の糸で端部を縫製することにより袋状に形成される。２枚の不織布を使用する場合は表地と裏地を異なる素材とすることもできる。
【００２０】
不織布としてポリ乳酸繊維から成るスパンボンド不織布を使用する場合は、１枚の不織布を折りたたんで端部を熱融着させるか、２枚の不織布を重ねて端部を熱融着させることによって袋状に形成することもできる。
【００２１】
中綿に用いられる生分解性素材としては、コットン、カポック綿や、ポリ乳酸繊維を使用することができる。
【００２２】
袋状の形成された不織布に中綿を充填する方法としては、開繊させた短繊維を加圧気体とともに袋状側地内に圧入するように吹き込む従来の方法等を採用できる。
【００２３】
中綿の充填後は、開口部を生分解性の糸で縫製するか、ポリ乳酸繊維から成るスパンボンド不織布を使用する場合は開口部を熱融着して封をする。
【００２４】
本考案の中綿充填パックのサイズは取り扱い性の観点から、長さ１００ｍｍ〜１，０００ｍｍ、幅１００ｍｍ〜１，０００ｍｍ、厚さ１０ｍｍ〜２００ｍｍ程度が好ましく、より好ましくは、長さ１００ｍｍ〜４００mｍ、幅１００ｍｍ〜３００ｍｍ、好ましくは１０ｍｍ〜１００ｍｍである。
【００２５】
中綿充填パックの形状は正方形、長方形等の定型や、衣料品に合わせた形状とすることができる。
【００２６】
また、本考案の中綿充填パックは中綿としてカポック綿のみを使用することを特徴とする。
【００２７】
カポック綿はカポックの木になる実から採取され、軽量で保温性、吸湿発熱性に優れた素材であるが、取扱いが困難な上、衣料品や寝具の比較的大きな空間に直接充填しようとした場合、衣料品や寝具の内部で塊や偏析が発生しやすくなるという問題があり、従来はポリエステル繊維等の取り扱い性が容易な素材と混合して使用されていた。
【００２８】
本考案では比較的小さな袋状の空間に中綿を充填するので、中綿をカポック綿のみの構成とした場合でも塊や偏析の発生がなく、カポック綿の持つ特性を十分に引き出すことが可能となる。
【００２９】
本考案の中綿充填パックは防寒ジャケットや冬季スポーツ用ウェア等の衣料品、掛布団などの寝具の表地と裏地との間に装填して使用される。
【００３０】
衣料品や寝具への中綿の充填作業の際、風綿が発生せず、また衣料品や寝具の内部で中綿の塊や偏析が発生することもなく、中綿の充填作業の能率が著しく向上する。
【実施例】
【００３１】
以下、実施例を示し、本考案について具体的に説明するが、本考案は下記の実施例に制限されるものではない。
【００３２】
＜実施例１＞
長さ２００ｍｍ×幅１５０ｍｍのコットンから成るスパンレース不織布２枚を重ね、袋状となるように端部を木綿製の糸で縫製した。
【００３３】
得られた袋状の不織布にカポック綿１０ｇを充填した後、開口部を木綿製の糸で縫製し、中綿充填パックを得た。
【００３４】
＜実施例２＞
長さ２００ｍｍ×幅１５０ｍｍのポリ乳酸繊維から成るスパンボンド不織布２枚を重ね、袋状となるように端部を熱融着した。
【００３５】
得られた袋状の不織布にカポック綿１０ｇを充填した後、開口部を熱融着し、中綿充填パックを得た。
【００３６】
＜比較例１＞
長さ２００ｍｍ×幅１５０ｍｍのポリエステルから成るスパンボンド不織布２枚を重ね、袋状となるように端部を熱融着した。
【００３７】
得られた袋状の不織布にポリエステル繊維１０ｇを充填した後、開口部を熱融着し、中綿充填パックを得た。
【００３８】
得られた実施例１、実施例２、比較例１の中綿充填パックについて生分解性を評価した。
【００３９】
実施例１と実施例２の中綿充填パックは中綿充填パックを構成するすべての素材が生分解性を有するのに対し、比較例１の中綿充填パックは生分解性を有さないものである。
【産業上の利用可能性】
【００４０】
本考案の中綿充填パックは衣料品や寝具に中綿を充填する充填作業の能率向上に優れ、かつ、生分解性の素材とすることにより環境負荷を低減することができ、衣料品や寝具の中綿として好適に用いられ得る。
【符号の説明】
【００４１】
１          中綿充填パック
２          不織布
３          中綿
４          袋状に形成された不織布
【図１】
0003234287.tif 000003
【図２】
0003234287.tif 000004
【図３】
0003234287.tif 000005